(57)【要約】      （修正有）【課題】注ぎ出し口を咥えたり吸ったりしなくても済み、注ぎ出し口からの飲料を口に確実に納めることのできるペットボトル用の栓体を提供する。【解決手段】ペットボトル用の栓体１は、上面開口部９および下面開口部を有して筒状に形成された栓本体４と、栓本体４の下面開口部の内周面に形成されていてペットボトルＢの注ぎ口１５の雄ネジ１６と螺合する第１雌ネジ部６と、栓本体４の上面開口部９に着脱可能に装着されて上面開口部９を蓋止する蓋部材３と、栓本体４の外周面から径方向外向き且つ斜め上向きに延在して形成されたジョウゴ状の受舌部８と、を備えた構成にされている。そして、栓本体４の上面開口部９に第２雌ネジ部１０が形成され、第２雌ネジ部１０と係脱可能に螺合する雄ネジ部１３が蓋部材３の下部に形成されている。また、蓋部材３の上面に、指で摘持される摘み部が突設されている。【選択図】図５
0003200500.tif 000002
【実用新案登録請求の範囲】
【請求項１】
上下に開口する筒状に形成された栓本体と、
前記栓本体の下面開口部に形成されていてペットボトルの注ぎ口の雄ネジと螺合する第１雌ネジ部と、
前記栓本体の上面開口部に装着されて当該上面開口部を開閉自在に蓋止する蓋部材と、
前記栓本体の外周面から径方向外向き且つ斜め上向きに延在して形成されたジョウゴ状の受舌部と、を備えて成ることを特徴とするペットボトル用の栓体。
【請求項２】
前記栓本体の上面開口部に第２雌ネジ部が形成され、前記蓋部材の下部に、前記第２雌ネジ部と係脱可能に螺合する雄ネジ部が形成されていることを特徴とする請求項１に記載のペットボトル用の栓体。
【請求項３】
前記蓋部材の上面に、指で摘持される摘み部が突設されていることを特徴とする請求項１または請求項２に記載のペットボトル用の栓体。
【請求項４】
前記栓本体の第１雌ネジ部および第２雌ネジ部が同内径および同ネジピッチで形成されるとともに、前記第１雌ネジ部と前記第２雌ネジ部とが上下一連につながって形成されていることを特徴とする請求項１から請求項３のいずれか一項に記載のペットボトル用の栓体。
【考案の詳細な説明】
【技術分野】
【０００１】
本考案は、ペットボトルの注ぎ口の雄ネジ部に取り付けられて注ぎ口を蓋止する栓体に関するものである。
【背景技術】
【０００２】
従来、この種のペットボトル用の栓体としては、下記の特許文献１，２に記載されたものが知られている。特許文献１に記載の栓体は、開閉式の上蓋を有しており、上蓋内に曲げて格納されていたストローが上蓋を開いたときに伸び出るようになっている。伸び出したストローが利用者の口に咥えられてペットボトル内の飲料が吸い出される。一方、特許文献２に記載の栓体は、栓本体内に、弁室と、ボール弁体とが収容されていて、操作摘みを回すことによりボール弁体を開いて注ぎ管を開放するようになっている。この栓体は、注ぎ管が口に咥えられてペットボトル内の飲料が吸い出される。
【先行技術文献】
【特許文献】
【０００３】
【特許文献１】特開２００８−１８９３８５号公報
【特許文献２】登録実用新案第３０２７２４７号公報
【考案の概要】
【考案が解決しようとする課題】
【０００４】
ところで、上記した特許文献１，２に記載の栓体では、ストローまたは注ぎ管を口に咥えて飲料を飲むようになっている。
しかしながら、ストローや注ぎ管などの管部材を口に咥えて飲料を飲むことに抵抗感を覚える利用者は少なくない。これは、管部材を繰り返し口に咥えるために唾液がペットボトル内に入りやすく衛生面で懸念があること、飲料を吸って飲むこと自体を嫌う人がいること、特にストローの場合は吸引抵抗が高いので吸い出し量が比較的小さくなることなどの理由が挙げられる。
【０００５】
本考案は、上記した従来の問題点に鑑みてなされたものであって、注ぎ出し口を咥えたり吸ったりしなくても済み、注ぎ出し口からの飲料を口に確実に納めることのできるペットボトル用の栓体の提供を目的とする。
【課題を解決するための手段】
【０００６】
上記目的を達成するために、本考案に係るペットボトル用の栓体は、上下に開口する筒状に形成された栓本体と、前記栓本体の下面開口部に形成されていてペットボトルの注ぎ口の雄ネジと螺合する第１雌ネジ部と、前記栓本体の上面開口部に着脱可能に装着されて当該上面開口部を蓋止する蓋部材と、前記栓本体の外周面から径方向外向き且つ斜め上向きに延在して形成されたジョウゴ状の受舌部と、を備えた構成にしてある。
尚、前記のペットボトルとは、ポリエチレンテレフタレート（英略字でいわゆるＰＥＴ）製のボトル容器のことであり、このことは実用新案登録請求の範囲、明細書および要約書においても同義である。
【０００７】
また、前記構成において、前記栓本体の上面開口部に第２雌ネジ部が形成され、前記蓋部材の下部に、前記第２雌ネジ部と係脱可能に螺合する雄ネジ部が形成されているものである。
【０００８】
そして、前記した各構成において、前記蓋部材の上面に、指で摘持される摘み部が突設されているものである。
【０００９】
更に、前記した各構成において、前記栓本体の第１雌ネジ部および第２雌ネジ部が同内径および同ネジピッチで形成されるとともに、前記第１雌ネジ部と前記第２雌ネジ部とが上下一連につながって形成されているものである。
【考案の効果】
【００１０】
本考案に係るペットボトル用の栓体によれば、筒状の栓本体と、栓本体の上面開口部を開閉自在に蓋止する蓋部材と、栓本体に形成されたジョウゴ状の受舌部と、を備えているので、栓本体がペットボトルの注ぎ口に装着されている状態で、蓋部材を操作して栓本体の上面開口部を開け、ペットボトルを斜めに傾けると、栓本体の上面開口部から飲料が流出していったん受舌部上に注ぎ出される。受舌部はジョウゴ状に形成されているので、飲料は受舌部上をわずかに広がって案内されその縁部から利用者の口に確実に納まり得る。従って、ストローなどのように咥えたり吸ったりしなくても済み、受舌部からの飲料を口やコップに確実に納めることができる。
【００１１】
また、栓本体の上面開口部に第２雌ネジ部が形成され、蓋部材の下部に雄ネジ部が形成されているものでは、蓋部材の雄ネジ部が栓本体上部の第２雌ネジ部と螺合するので、蓋部材の雄ネジ部が螺進させることにより、栓本体の上面開口部を液漏れさせることなく確実に蓋止することができる。
【００１２】
そして、蓋部材の上面に摘み部が突設されているものでは、蓋部材の開栓または閉栓の際に摘み部を指で摘持して蓋部材を操作できるので、飲料が接する受舌部その他に手指が触れなくて済む。従って、この栓体は衛生的であり蓋部材の開閉操作も確実に行なうことができる。
【００１３】
更に、栓本体において、蓋部材の雄ネジ部と螺合する雌ネジ部分と、ペットボトルの雄ネジと螺合する雌ネジ部分とが上下一連につながっており、かつ、同内径および同ネジピッチで形成されているものでは、栓本体における雌ネジの種類がひとつになるので、容易に製造できる。また、蓋部材の雄ネジ部はペットボトルの雄ネジと同外径および同ネジピッチで形成されることになるので、これらの雄ネジを成型するための金型を共通化することができる。
【図面の簡単な説明】
【００１４】
【図１】本考案の一実施形態に係るペットボトル用の栓体を示す斜視図である。
【図２】前記栓体の基体部材を示す図であって、（ａ）は平面図、（ｂ）は底面図、（ｃ）は側面図である。
【図３】前記栓体の蓋部材を示す図であって、（ａ）は平面図、（ｂ）は底面図、（ｃ）は側面図である。
【図４】前記栓体をペットボトルの注ぎ口に装着した状態を示す側面図である。
【図５】装着された栓体がペットボトルの注ぎ口を閉止している状態を示す部分側断面図である。
【図６】装着された栓体がペットボトルの注ぎ口を開いている状態を示す部分側断面図である。
【図７】ペットボトルの注ぎ口に装着された栓体から飲料を注ぎ出す態様を示す図であって、（ａ）は注ぎ出た飲料を直に飲む態様を示す状態説明図、（ｂ）はコップに注ぐ態様を示す状態説明図である。
【図８】本考案の別の実施形態に係る栓体をペットボトルの注ぎ口に装着した状態を示す部分側断面図である。
【考案を実施するための形態】
【００１５】
本考案の実施形態を図面に基づいて説明する。尚、以下に述べる実施形態は本考案を具体化した一例に過ぎず、本考案の技術的範囲を限定するものでない。図１は本考案の一実施形態に係るペットボトル用の栓体を示す斜視図、図２は前記栓体の基体部材を示す図であって、（ａ）は平面図、（ｂ）は底面図、（ｃ）は側面図、図３は前記栓体の蓋部材を示す図であって、（ａ）は平面図、（ｂ）は底面図、（ｃ）は側面図、図４は前記栓体をペットボトルの注ぎ口に装着した状態を示す側面図、図５は装着された栓体がペットボトルの注ぎ口を閉止している状態を示す部分側断面図である。
各図において、この実施形態に係るペットボトル用の栓体１は、ペットボトルＢの注ぎ口１５に取り付けられる基体部材２と、基体部材２に装着されて上面開口部９を開閉自在に蓋止する蓋部材３と、から構成されている。
【００１６】
前記の基体部材２は、上下に開口した円筒状の栓本体４と、栓本体４の上端面から筒径方向外向きに、且つ、斜め上向きに延在するジョウゴ状に形成された受舌部８と、から一体的に構成されている。栓本体４は、上面開口部９および下面開口部５を有している。栓本体４の筒内の上下略中央部には、内向きに突出した内周鍔部７が全周にわたって形成されている。栓本体４の筒内における下面開口部５の内周面、すなわち内周鍔部７の下方位置には、第１雌ネジ部６が形成されている。この第１雌ネジ部６は、ペットボトルＢの注ぎ口１５の外周面にある雄ネジ１６と螺合するようになっている。栓本体４の筒内における上面開口部９の内周面、すなわち内周鍔部７の上方位置には、第２雌ネジ部１０が形成されている。受舌部８は、先細に形成されたクチバシ状部８Ａと、クチバシ状部８Ａの対面側で横直線状に形成された平口状部８Ｂを備えていて一体的に形成されている。
【００１７】
前記の蓋部材３は、上面１１Ａが平らで下部が半球状に形成された蓋本体１１と、蓋本体１１の上面１１Ａに上向きに突出して形成された摘み部１２と、蓋本体１１の下面に垂設された雄ネジ部１３と、から一体的に構成されている。この雄ネジ部１３は、基体部材２の第２雌ネジ部１０と係脱可能に螺合するようになっている。そして、雄ネジ部１３は、その一部分が上下に切り欠かれて、飲料Ｄを流出させるための通液溝１４が形成されている。通液溝１４における蓋本体１１との付け根部分は、開栓時の注ぎ出し口１７となる。また、摘み部１２は、平面視で例えば十字状に形成されていて、人の指で摘まれて回されるようになっている。
【００１８】
上記のように構成された栓体１の作用を次に説明する。この場合、ペットボトルＢ内には予め飲料Ｄが注入されており、図５に示したように、蓋部材３の雄ネジ部１３が螺進して蓋本体１１の下面が受舌部８の上面に密着することにより、注ぎ出し口１７が閉止されている状態から説明する。
先ず、利用者は、蓋部材３の摘み部１２を指で摘んで開栓方向に回す。すると、蓋部材３の雄ネジ部１３が基体部材２の第２雌ネジ部１０に対して螺退することにより、図６に示すように、注ぎ出し口１７が開かれる。
【００１９】
そこで、利用者がペットボトルＢを斜めに傾けるとともに、受舌部８の例えばクチバシ状部８Ａを口に向けてかざすと、ペットボトルＢ内の飲料Ｄは蓋部材３の通液溝１４を通り注ぎ出し口１７から受舌部８上に注ぎ出されていったん広がる。その後、先細のクチバシ状部８Ａで流れが狭められ、図７（ａ）に示すように、勢いよく飛び出して口内に直に納められるのである。あるいは、図７（ｂ）に示すように、コップＣに注ぐときも受舌部８があるので、クチバシ状部８Ａからでも平口状部８Ｂからでも飲料Ｄを注ぎやすく、コップＣ内に確実に納めることができる。
一方、受舌部８の平口状部８Ｂ側を利用者の口に向けた場合は、注ぎ出し口１７から受舌部８上に注ぎ出て広がった飲料Ｄが、平口状部８Ｂの縁から幅広い範囲で緩やかに放出される。この場合、利用者が平口状部８Ｂに口を付けておくと、飲みやすくなる。
【００２０】
以上に述べたように、本実施形態に係る栓体１は、ジョウゴ状の受舌部８が栓本体４に一体に形成されているので、上面開口部９の注ぎ出し口１７から出た飲料Ｄは受舌部８上をわずかに広がって案内され受舌部８の周縁部から利用者の口に確実に納まり得る。従って、ストローのように咥えたり吸ったりしなくても済み、注ぎ出し口１７から流出した飲料Ｄを口やコップＣに確実に納めることができる。
【００２１】
また、蓋部材３の雄ネジ部１３は栓本体４上部の第２雌ネジ部１０と螺合するので、蓋部材３の雄ネジ部１３が螺進することにより、栓本体４の上面開口部９を液漏れなく確実に蓋止することができる。そして、蓋部材３の開栓または閉栓の際に摘み部１２を指で摘持して蓋部材３を操作できるので、飲料Ｄが接する受舌部８その他に手指が触れなくて済む。従って、この栓体１は衛生的であり蓋部材３の開閉操作を確実に行なうことができる。
【００２２】
尚、上記の実施形態では、栓本体４の内周面に内周鍔部７を備えるとともに、内周鍔部７の上下に在る第２雌ネジ部１０と第１雌ネジ部６を異なる内径および異なるネジピッチにした例を示したが、本考案のペットボトル用の栓体はそれに限定されるものでない。例えば、図８に示すような栓体１ａも本考案に含まれる。
この栓体１ａでは、基体部材２ａの栓本体４の内周面に、上面開口部９から下面開口部５にかけて、上下一連につながった一連雌ネジ部２０が形成されている。栓体１で設けられていた内周鍔部７は省かれている。この一連雌ネジ部２０では、蓋部材３ａの雄ネジ部１３ａと螺合する上側の雌ネジ部分と、ペットボトルＢの雄ネジ１６と螺合する下側の雌ネジ部分とが同内径および同ネジピッチで形成されている。すなわち、蓋部材３ａの雄ネジ部１３ａは、ペットボトルＢの雄ネジ１６と同外径および同ネジピッチで形成されている。
【００２３】
上記のように、栓体１ａは、一連雌ネジ部２０が栓本体４内で上下一連につながっているとともに同内径および同ネジピッチで形成されているので、栓本体４における雌ネジの種類がひとつになる。従って、栓本体４の一連雌ネジ部２０は容易に製造することができる。また、蓋部材３ａの雄ネジ部１３ａはペットボトルＢの雄ネジ１６と同外径および同ネジピッチで形成されることになるので、これらの雄ネジを成型するための金型を共通化できるという利点もある。
【符号の説明】
【００２４】
１，１ａ  栓体
２，２ａ  基体部材
３，３ａ  蓋部材
４    栓本体
５    下面開口部
６    第１雌ネジ部
８    受舌部
９    上面開口部
１０  第２雌ネジ部
１１  蓋本体
１１Ａ  上面
１２  摘み部
１３，１３ａ  雄ネジ部
１５  注ぎ口
２０  一連雌ネジ部
Ｂ  ペットボトル
Ｄ  飲料
【図１】
0003200500.tif 000003
【図２】
0003200500.tif 000004
【図３】
0003200500.tif 000005
【図４】
0003200500.tif 000006
【図５】
0003200500.tif 000007
【図６】
0003200500.tif 000008
【図７】
0003200500.tif 000009
【図８】
0003200500.tif 000010